(57)【要約】【課題】正常な二次電池から、故障した二次電池を隔離可能であり、正常な二次電池を保護可能な電池ユニットを提供する。【解決手段】第１正極２１及び第１負極２２を有する第１二次電池２０と、第２正極３１及び第２負極３２を有する第２二次電池３０と、第１二次電池と第２二次電池の間に介在してそれらをブリッジ接続しており、第１前端部４１及び第１後端部４２を有する第１ブリッジ接続ワイヤー４０と、第１二次電池と第２二次電池の間に介在してそれらをブリッジ接続しており、第２前端部５１及び第２後端部５２を有する第２ブリッジ接続ワイヤー５０と、第１正極と第１前端部の間、又は第１負極と第２前端部の間に介在してそれらにそれぞれ電気的に接続されている第１ヒューズ６０と、第２正極と第１後端部の間、又は第２負極と第２後端部の間に介在してそれらにそれぞれ電気的に接続されている第２ヒューズ７０と、を含む。【選択図】図２
2014041809.tif 000002
【特許請求の範囲】
【請求項１】
第１正極と、第１負極と、を有する第１二次電池と、
第２正極と、第２負極と、を有する第２二次電池と、
前記第１二次電池と前記第２二次電池の間に介在してそれらをブリッジ接続しており、前記第１正極と電気的に接続している第１前端部と、前記第２正極と電気的に接続している第１後端部と、を有する第１ブリッジ接続ワイヤーと、
前記第１二次電池と前記第２二次電池の間に介在してそれらをブリッジ接続しており、前記第１負極と電気的に接続している第２前端部と、前記第２負極と電気的に接続している第２後端部と、を有する第２ブリッジ接続ワイヤーと、
前記第１正極と前記第１前端部の間、又は前記第１負極と前記第２前端部の間に介在してそれらにそれぞれ電気的に接続されている第１ヒューズと、
前記第２正極と前記第１後端部の間、又は前記第２負極と前記第２後端部の間に介在してそれらにそれぞれ電気的に接続されている第２ヒューズと、
を含むことを特徴とする電池ユニット。
【発明の詳細な説明】
【技術分野】
【０００１】
本発明は、電池ユニットに関し、特に、二つの二次電池と二つのヒューズを並列接続して構成される独立に断電可能な電池ユニットに関するものである。
【背景技術】
【０００２】
現在、広汎に使用されている二次電池は、高出力電圧を得るために、多くの二次電池を直列接続して集合電池を構成することが一般的である。しかし、複数の二次電池を直列接続して構成される集合電池は、実際に使用されると、下記の欠点がある。
【０００３】
集合電池は、複数の二次電池を直列接続して構成されるため、使用の過程中に、単一の二次電池が故障したと、集合電池が使用不能となる。一方、正常な二次電池から、故障した二次電池を即時に隔離しないと、正常な二次電池も故障となり、更に、全部の二次電池が故障となる可能性がある、
【０００４】
図１を参照する。図１は二次電池とヒューズをブリッジ接続法で接続して構成される従来の安全電池ユニットを示す模式図である。このような安全電池ユニットは、直列接続されている二次電池１１１、１１２から構成される第１二次電池グループ１１と、直列接続されている二次電池１２１、１２２から構成される第２二次電池グループ１２と、を並列接続して、第１二次電池グループ１１と第２二次電池グループ１２の間にブリッジ接続ワイヤー１３が介在してそれらをブリッジ接続しており、二次電池１１１、１１２、１２１、１２２の正極と負極とにヒューズ１４がそれぞれ設けられ、このように、二次電池１１１、１１２、１２１、１２２の何れかの一つが故障して短絡すると、ブリッジ接続ワイヤー１３により、故障した二次電池１１１、１１２、１２１、１２２に対応するヒューズ１４を溶断可能である。これにより、故障していない二次電池１１１、１１２、１２１、１２２から、故障した二次電池１１１、１１２、１２１、１２２を隔離可能であり、正常な二次電池を保護可能である。
【０００５】
しかし、上記のような安全電池ユニットは、四個以上の二次電池から構成される電池ユニットのために設計され、二つの二次電池から構成される電池ユニットに適用できないという問題があった。
【先行技術文献】
【特許文献】
【０００６】
【特許文献１】なし
【発明の概要】
【発明が解決しようとする課題】
【０００７】
本発明の主な目的は、二つの二次電池と二つのヒューズを並列接続して構成される独立に断電可能な電池ユニットを提供することにある。
【０００８】
本発明の次の目的は、何れかの二次電池が故障して短絡したと、バイパス電路により、故障した二次電池に対応するヒューズを溶断可能であり、このように、正常な二次電池から、故障した二次電池を隔離可能であり、正常な二次電池を保護可能な電池ユニットを提供することにある。
【０００９】
本発明の別の目的は、単一の二次電池の故障により、電池ユニット全体が使用不能となることを回避可能な電池ユニットを提供することにある。
【課題を解決するための手段】
【００１０】
本発明の電池ユニットによると、第１正極と、第１負極と、を有する第１二次電池と、第２正極と、第２負極と、を有する第２二次電池と、第１二次電池と第２二次電池の間に介在してそれらにそれぞれ電気的に接続されており、第１正極と電気的に接続している第１前端部と、第２正極と電気的に接続している第１後端部と、を有する第１ブリッジ接続ワイヤーと、第１二次電池と第２二次電池の間に介在してそれらにそれぞれ電気的に接続されており、第１負極と電気的に接続している第２前端部と、第２負極と電気的に接続している第２後端部と、を有する第２ブリッジ接続ワイヤーと、第１正極と第１前端部の間、又は第１負極と第２前端部の間に介在してそれらにそれぞれ電気的に接続されている第１ヒューズと、第２正極と第１後端部の間、又は第２負極と第２後端部の間に介在してそれらにそれぞれ電気的に接続されている第２ヒューズと、を含むことを特徴とする。
【発明の効果】
【００１１】
本発明の電池ユニットによれば、次のような効果がある。
（１）何れかの二次電池が故障して短絡したと、バイパス電路により、故障した二次電池に対応するヒューズを溶断可能であり、このように、正常な二次電池から、故障した二次電池を隔離可能であり、正常な二次電池を保護可能である。
【００１２】
（２）単一の二次電池の故障により、電池ユニット全体が使用不能となることを回避可能である。
【図面の簡単な説明】
【００１３】
【図１】二次電池とヒューズをブリッジ接続法で接続して構成される従来の安全電池ユニットを示す模式図である。
【図２】本発明の実施例１を示す模式図である、
【図３】本発明の実施例２を示す模式図である。
【図４】本発明の実施例３を示す模式図である。
【図５】本発明の実施例４を示す模式図である。
【発明を実施するための形態】
【００１４】
以下、本発明の実施の形態を図面に基づいて説明する。
【実施例１】
【００１５】
本実施例の二つの二次電池と二つのヒューズを並列接続して構成される独立に断電可能な電池ユニットは、第１二次電池２０と、第２二次電池３０と、第１ブリッジ接続ワイヤー４０と、第２ブリッジ接続ワイヤー５０と、第１ヒューズ６０と、第２ヒューズ７０と、から構成される。
【００１６】
第１二次電池２０は、第１正極２１と、第１負極２２と、を有する。
【００１７】
第２二次電池３０は、第２正極３１と、第２負極３２と、を有する。
【００１８】
第１ブリッジ接続ワイヤー４０は、第１二次電池２０と第２二次電池３０の間に介在してそれらをブリッジ接続しており、第１正極２１と電気的に接続している第１前端部４１と、第２正極３１と電気的に接続している第１後端部４２と、を有する。
【００１９】
第２ブリッジ接続ワイヤー５０は、第１二次電池２０と第２二次電池３０の間に介在してそれらをブリッジ接続しており、第１負極２２と電気的に接続している第２前端部５１と、第２負極３２と電気的に接続している第２後端部５２と、を有する。
【００２０】
第１ヒューズ６０は、第１二次電池２０の第１負極２２と第２ブリッジ接続ワイヤー５０の第２前端部５１の間に介在してそれらにそれぞれ電気的に接続されている。
【００２１】
第２ヒューズ７０は、第２二次電池３０の第２負極３２と第２ブリッジ接続ワイヤー５０の第２後端部５２の間に介在してそれらにそれぞれ電気的に接続されている。
【００２２】
本実施例では、第１ブリッジ接続ワイヤー４０と第２ブリッジ接続ワイヤー５０とは、第１二次電池２０と第２二次電池３０の間に介在してそれらをブリッジ接続しており、電気回路が構成されるため、第１二次電池２０又は第２二次電池３０のうちの一つが故障して短絡して、極めて大きい電流が生じるときには、当該電流の電流値が、故障した二次電池に対応するヒューズの定格電流値を超える場合に、当該ヒューズが溶断されて、正常な二次電池から、故障した二次電池を隔離可能であり、正常な二次電池を保護可能である。
【００２３】
また、本実施例では、第１ブリッジ接続ワイヤー４０と第２ブリッジ接続ワイヤー５０とは、第１二次電池２０と第２二次電池３０の間に介在してそれらをブリッジ接続しており、電気回路が構成されるため、第１二次電池２０又は第２二次電池３０のうちの一つが故障して短絡したときに、故障していない二次電池により、電力を出力可能である。例えば第１二次電池２０が故障して短絡する場合には、第２二次電池３０の電力を出力し、なお、第２二次電池３０が故障して短絡する場合には、第１二次電池２０の電力を出力する。このように、単一の二次電池の故障により、電池ユニット全体が使用不能となることを回避可能である。
【実施例２】
【００２４】
図３は本発明の実施例２を示す模式図である。本実施例の実施例１と相違する点は、第１ヒューズ６０と第２ヒュー一ズ７０との配置にあり、すなわち、第１ヒューズ６０は、第１二次電池２０の第１負極２２と第２ブリッジ接続ワイヤー５０の第２前端部５１の間に介在してそれらにそれぞれ電気的に接続されており、第２ヒューズ７０は、第２二次電池３０の第２正極３1と第1ブリッジ接続ワイヤー４０の第１後端部４２の間に介在してそれらにそれぞれ電気的に接続されている。
【実施例３】
【００２５】
図４は本発明の実施例３を示す模式図である。本実施例の実施例１と相違する点は、第１ヒューズ６０と第２ヒューズ７０との配置にあり、すなわち、第１ヒューズ６０は、第１二次電池２０の第１正極２１と第１ブリッジ接続ワイヤー４０の第１前端部４１の間に介在してそれらにそれぞれ電気的に接続されており、第２ヒューズ７０は、第２二次電池３０の第２負極３２と第２ブリッジ接続ワイヤー５０の第２後端部５２の間に介在してそれらにそれぞれ電気的に接続されている。
【実施例４】
【００２６】
図５は本発明の実施例４を示す模式図である。本実施例の実施例１と相違する点は、第１ヒューズ６０と第２ヒューズ７０との配置にあり、すなわち、第１ヒューズ６０は、第１二次電池２０の第１正極２１と第１ブリッジ接続ワイヤー４０の第１前端部４１の間に介在してそれらにそれぞれ電気的に接続されており、第２ヒューズ７０は、第２二次電池３０の第２正極３１と第１ブリッジ接続ワイヤー４０の第１後端部４２の間に介在してそれらにそれぞれ電気的に接続されている。
【産業上の利用可能性】
【００２７】
本発明は、電池ユニットに適用することができる。
【符号の説明】
【００２８】
１１：第１二次電池グループ
１２：第２二次電池グループ
１３：ブリッジ接続ワイヤー
１４：ヒューズ
２０：第１二次電池
２１：第１正極
２２：第１負極
３０：第２二次電池
３１：第２正極
３２：第２負極
４０：第１ブリッジ接続ワイヤー
４１：第１前端部
４２：第１後端部
５０：第２ブリッジ接続ワイヤー
５１：第２前端部
５２：第２後端部
６０：第１ヒューズ
７０：第２ヒューズ
１１１：二次電池
１１２：二次電池
１２１：二次電池
１２２：二次電池
【図１】
2014041809.tif 000003
【図２】
2014041809.tif 000004
【図３】
2014041809.tif 000005
【図４】
2014041809.tif 000006
【図５】
2014041809.tif 000007